(57)【要約】      （修正有）【課題】高い止水性を維持しながら、板状体の連結強度を効率的な作業のもとで高めることができる建築物の囲繞構造体を提案する。【解決手段】幅方向の一端に上ハゼ２を有し、もう一端に下ハゼ３を有する本体部分１を備えた板状体と、該板状体の上ハゼ２の内側に、別の板状体の下ハゼ３′を位置せしめ、該板状体の下ハゼ３を、別の板状体の上ハゼ２′の内側に位置せしめ、該上ハゼ２、２′と該本体部分１、１′とが交互に配列された屋根又は外壁を構築する建築物の囲繞構造体において、該上ハゼ２を、該本体部分１の外表面を有する天板２ａと、該本体部分１の幅方向の端縁につながる側板２ｂと、該板状体に隣接配置される別の板状体の下ハゼ３′に連係可能な鉤状体２ｃとを備え、前記下ハゼ３を、頭部３ｃと、第２の脚部３ｅと、舌片３ｆとを備え、該下ハゼ３には、別の板状体の上ハゼ２の鉤状体２ｃ′を、該第１の顎部３ｂとの間で挟持する挟持体５を配設する。【選択図】図１
2019019527.tif 000002
【特許請求の範囲】
【請求項１】
幅方向の一端に上ハゼを有し、幅方向のもう一端に下ハゼを有する扁平矩形状をなす本体部分を備えた板状体を複数枚用意して、該板状体の上ハゼの内側に、該板状体に隣接配置される別の板状体の下ハゼを位置せしめてそれらを相互に連係させる一方、該板状体の下ハゼを、該板状体に隣接配置される別の板状体の上ハゼの内側に位置せしめてそれらを相互に連係させることにより、該上ハゼと該本体部分とが交互に配列された屋根もしくは外壁を構築する建築物の囲繞構造体であって、
該上ハゼは、該本体部分の外表面よりも外方へ向けて膨出するとともに該本体部分の外表面に沿う外表面を有する天板と、該天板の幅方向の一端に設けられ、該本体部分の幅方向の端縁につながる側板と、該天板の幅方向のもう一端に片持ち支持され、該板状体に隣接配置される別の板状体の下ハゼに連係可能な鉤状体とを備え、
前記下ハゼは、一端が該本体部分につながる第１の脚部と、該第１の脚部の他端に第１の顎部を介してつながり、その内側に内部空間を区画形成する頭部と、一端が該頭部に第２の顎部を介してつながる第２の脚部と、該第２の脚部の他端につながり、締結手段にて該本体部分を上ハゼとともに建築物の下地材に固定可能な舌片とを備え、
該下ハゼに、該第１の顎部および第２の顎部において固定保持され、該板状体に隣接配置される別の板状体の上ハゼの鉤状体を、該第１の顎部との間で挟持する挟持体を配設してなる、ことを特徴とする建築物の囲繞構造体。
【請求項２】
前記下ハゼの前記第１の脚部と前記第２の脚部とは、前記頭部の内部空間につながる導入口を形成する配置間隔に保持されていることを特徴とする請求項１に記載した建築物の囲繞構造体。
【請求項３】
前記下ハゼは、その頭部に、前記本体部分の長手方向に沿って伸延する矩形状断面をなす溝部を有する請求項１または２に記載した建築物の囲繞構造体。
【請求項４】
前記挟持体は、前記下ハゼの頭部の外表面に合わさる天井壁部と、該天井壁部の幅方向の端部に垂下保持され、該板状体に隣接配置される別の板状体の上ハゼの鉤状体を、該第１の顎部と協働して挟持する係止舌片と、前記第２の顎部の外表面に嵌合可能な係止片とからなることを特徴とする請求項１〜３のいずれか１項に記載した建築物の囲繞構造体。
【請求項５】
前記挟持体の天井壁部に、該溝部に適合可能な凸部と、該凸部の、該溝部への適合姿勢でもって該溝部につながる通路を形成する凹部を設けたことを特徴とする請求項４に記載した建築物の囲繞構造体。
【請求項６】
前記挟持体は、前記上ハゼの天板の直下に位置して該上ハゼを支える支持体を備えることを特徴とする請求項１〜５のいずれか１項に記載した建築物の囲繞構造体。
【発明の詳細な説明】
【技術分野】
【０００１】
本発明は、幅寸法が所定の比率に設定された隆起部およびこの隆起部につながる平坦部とが桁行方向に沿って交互に配列された屋根あるいは該隆起部および隆起部つながる平坦部が土台側から軒天に向け交互に配列された壁（外壁）等を構築するのに好適な建築物の囲繞構造体に関するものである。
【背景技術】
【０００２】
幅寸法が一定の比率に設定された隆起部およびこれにつながる平坦部が交互に配列された屋根や壁等は、従来、大和葺き風の屋根、壁といわれるものであって、建築物の美観を高めるのに有用な手段の一つとされている。
【０００３】
ところで、この種の屋根や壁は、隆起部の内側にバックアップ材を配置して屋根材、壁材を保持する構造になっており、バックアップ材の取り付けに手間がかかる不利があるうえ、該隆起部の内部における通気がバックアップ材によって阻害されやすいことから通常の屋根材、壁材に比較すると結露等の発生により耐久性に劣ることが指摘されている。
【０００４】
この点に関する先行技術として、例えば特許文献１には、金属板の高位平坦部の下側に吊子を設け、該高位平坦部の内側に空気の流通路を形成することによって耐久性の改善を図った大和葺き風外囲体が提案されている。しかしながら、上記特許文献１で提案されている外囲体は、以下に述べるような不具合が指摘されており、未だ改善の余地が残されている。
【先行技術文献】
【特許文献】
【０００５】
【特許文献１】特開平８−１８４１３９号公報
【発明の概要】
【発明が解決しようとする課題】
【０００６】
すなわち、かかる外囲体は、高位平坦部の縁部に設けた外側嵌合凹部を、当該金属板に隣接配置される他の金属板の内側嵌合凸部に単に差し込んだ構造からなるものであり金属板相互間の嵌合力が弱く、とくに、金属板の右側部の立ち上がり部については、吊子の係合片を内方向に１８０度屈曲することによって固着するようになっているため、突風等により金属板が上方へ引き上げられるような負圧が作用した場合に、金属板相互間の嵌合、金属体の立ち上がり部における固着が簡単に解除されてしまうおそれがある。また、外側嵌合凹部の下位水平部は、隣接配置される他の金属板の外表面に常時接触した状態におかれていることから、豪雨時には冠水により雨水等が高位平坦部内へ浸入し易く止水性がよいとはいえない。さらに、内側嵌合凸部は、吊子の２つの上位水平部と協同してその上面で隣の金属板を支持しており、作業者の体重がかかっても容易につぶれることがないとされているものの、該内側嵌合凸部の、下地材に接地する接地幅は上面の幅よりも狭く、該上面が平坦な壁部で形成されていることから、その部位の上方から荷重が付加された場合に内側嵌合凸部が倒れ込んでしまったり、上面の壁部が簡単に凹んでしまうことも懸念されており、隣の金属板を安定的に支持できるとはいえない。
【０００７】
本発明の課題は、高い止水性を維持しつつも板状体の連係強度を、安定した支持姿勢のもとで高めることができる建築物の囲繞構造体を提案するところにある。
【課題を解決するための手段】
【０００８】
本発明は、幅方向の一端に上ハゼを有し、幅方向のもう一端に下ハゼを有する扁平矩形状をなす本体部分を備えた板状体を複数枚用意して、該板状体の上ハゼの内側に、該板状体に隣接配置される別の板状体の下ハゼを位置せしめてそれらを相互に連係させる一方、該板状体の下ハゼを、該板状体に隣接配置される別の板状体の上ハゼの内側に位置せしめてそれらを相互に連係させることにより、該上ハゼと該本体部分とが交互に配列された屋根もしくは外壁を構築する建築物の囲繞構造体であって、
該上ハゼは、該本体部分の外表面よりも外方へ向けて膨出するとともに該本体部分の外表面に沿う外表面を有する天板と、該天板の幅方向の一端に設けられ、該本体部分の幅方向の端縁につながる側板と、該天板の幅方向のもう一端に片持ち支持され、該板状体に隣接配置される別の板状体の下ハゼに連係可能な鉤状体とを備え、
前記下ハゼは、一端が該本体部分につながる第１の脚部と、該第１の脚部の他端に第１の顎部を介してつながり、その内側に内部空間を区画形成する頭部と、一端が該頭部に第２の顎部を介してつながる第２の脚部と、該第２の脚部の他端につながり、締結手段にて該本体部分を上ハゼとともに建築物の下地材に固定可能な舌片とを備え、
該下ハゼに、該第１の顎部および第２の顎部において固定保持され、該板状体に隣接配置される別の板状体の上ハゼの鉤状体を、該第１の顎部との間で挟持する挟持体を配設してなる、ことを特徴とする建築物の囲繞構造体である。
【０００９】
上記の構成からなる建築物の囲繞構造体において、下ハゼの第１の脚部と第２の脚部とは、頭部の内部空間につながる導入口を形成する配置間隔に保持されていることが好ましい。
【００１０】
また、下ハゼは、その頭部に、本体部分の長手方向に沿って伸延する矩形状（長方形状）断面をなす溝部を有すること、また、挟持体は、下ハゼの頭部の外表面に合わさる天井壁部と、該天井壁部の幅方向の端部に垂下保持され、該板状体に隣接配置される別の板状体の上ハゼの端縁部を、該第１の顎部と協働して挟持する係止舌片と、第２の顎部の外表面に嵌合可能な係止片とを備えたもので構成すること、また、天井壁部には、溝部に適合可能な凸部と、該凸部の、該溝部への適合姿勢でもって該溝部につながる通路を形成する凹部を有することが好ましく、さらに、挟持体には、上ハゼの天板の直下に位置して該上ハゼを支える支持体を備えるのが望ましい。
【発明の効果】
【００１１】
本発明の建築物の囲繞構造体によれば、上ハゼの内側には、下ハゼと該下ハゼに嵌合する挟持体（吊子を含む）が位置するのみであり、空気の流通路を確保することが可能であり、湿気がこもることによる囲繞構造体の耐久性の劣化を回避することができる。
【００１２】
また、本発明の建築物の囲繞構造体によれば、上ハゼの端縁部に設けられた鉤状体を、隣接配置される別の板状体の下ハゼに引っ掛けて板状体同士を相互に連係（つなぎ合わせ）させる際、該鉤状体が、第１の顎部と挟持体との間で挟持されるため、板状体の連係強度（板状体同士の連結強度）を高めることができ、板状体を下地材から引き離すような負圧が作用しても板状体の連係が簡単に解除されることはない。
【００１３】
また、本発明の建築物の囲繞構造体よれば、下ハゼの第１の顎部が板状体の幅方向に沿い外方へ向けて迫り出しており、しかも、上ハゼの鉤状体と板状体の外表面との間には隙間を形成しておくことが可能であるため、豪雨時に上ハゼ内部が冠水したり、毛細管現象によって雨水等が上ハゼ内部に浸入するのを回避することができる。
【００１４】
また、本発明の建築物の囲繞構造体によれば、下ハゼの第１の脚部と第２の脚部とを、頭部の内部空間につながる導入口を形成する配置間隔に保持しておくことにより、その導入口を通して下ハゼの頭部にタイトフレームを組み付けることができる。タイトフレームを介して板状体を建築物の下地材に固定することにより、該板状体と下地材との間に断熱材を敷設する空間を確保することが可能となり、断熱仕様とする場合にも容易に対応し得る。
【００１５】
また、本発明の建築物の囲繞構造体によれば、下ハゼの頭部に、上ハゼの天板に対面する頭頂壁部を設け、この頭頂壁部に、板状体の長手方向に沿って伸延する矩形状（長方形状）断面をなす溝部を形成しておくことにより、該溝部を通して雨水等を排出することが可能となり、止水性を高めることができる。また、溝部を形成しておくことにより下ハゼそのものの剛性を高めることが可能で、隣接配置される別の板状体を安定的な姿勢のもとで支持し得る。
【００１６】
また、本発明の建築物の囲繞構造体によれば、挟持体を、下ハゼの頭部の外表面に合わさる天井壁部と、第１の顎部の外表面に位置するとともに、該板状体に隣接配置される別の板状体の上ハゼの鉤状体を該第１の顎部と協働して挟持する第１の係止片と、第２の顎部の外表面に合わさる第２の係止片とを備えたもので構成することにより、該挟持体の、下ハゼに対する固定が確実になる。挟持体の天井壁部に凹部を形成しておくことで下ハゼに設けられた溝部において雨水等の流通する際にその流れを阻害するのを回避することができる。
【００１７】
さらに、本発明の建築物の囲繞構造体によれば、挟持体に吊子を備えることにより、それ単独で、あるいは下ハゼと協働して上ハゼを支えることが可能となり、該上ハゼの上方から外部荷重が付加されてもその変形を回避することができる。
【図面の簡単な説明】
【００１８】
【図１】本発明にしたがう建築物の囲繞構造体を屋根に適用した実施の形態をその一部分について模式的に示した外観斜視図である。
【図２】図１に示した建築物の囲繞構造体の正面を示した図である。
【図３】図１に示した建築物の囲繞構造体を分解状態で示した外観斜視図である。
【図４】図１〜３に示した建築物の囲繞構造体のうち、板状体のみを単独で取出して示した外観斜視図である。
【図５】図１〜３に示した建築物の囲繞構造体のうち、挟持体（支持体を含む）のみを単独で取出して示した外観斜視図である。
【図６】本発明にしたがう建築物の囲繞構造体を適用して屋根を葺きあげた状態を示した図である。
【図７】本発明にしたがう建築物の囲繞構造体を構成する下ハゼと挟持体の連結状況を示した図である。
【図８】本発明にしたがう建築物の囲繞構造体の他の実施の形態をその一部について模式的に示した図である。
【図９】本発明にしたがう建築物の囲繞構造体を適用して壁を構築する場合の説明図である。
【図１０】本発明にしたがう建築物の囲繞構造体を適用して構築された壁の側面をその一部について模式的に示した図である。
【図１１】本発明にしたがう建築物の囲繞構造体を適用して構築された壁の外観をその一部について模式的に示した斜視図である。
【図１２】本発明にしたがう建築物の囲繞構造体を適用して屋根、壁を構築した建築物の全体の外観を示した図である。
【発明を実施するための形態】
【００１９】
以下、図面を用いて本発明をより具体的に説明する。
図１は、本発明にしたがう建築物の囲繞構造体を屋根に適用した実施の形態をその一部分について模式的に示した外観斜視図である。また、図２は、その正面を示した図であり、図３は、図１に示した囲繞構造体を分解状態で示した外観斜視図である。さらに、図４、図５は、図１〜３に示した建築物の囲繞構造体の各構成部材を単独で取出して示した外観斜視図である。
【００２０】
本発明において「板状体に隣接配置される別の板状体」とは、本発明にしたがう建築物の囲繞構造体に適用される板状体と同じ構成からなる板状体を意味している。また、本発明にしたがう建築物の囲繞構造体は、同一構成からなる板状体を複数枚用意し、それら板状体の上ハゼ、下ハゼを相互に連係させることにより構築される屋根や壁（外壁、内壁）、あるいは、軒天井、幕板等を対象としている。
【００２１】
板状体としては、単一の金属製素材、例えば、厚さ０．４〜１．０ｍｍ程度の、溶融亜鉛めっき鋼板やカラー鋼板等の防錆処理鋼板、ステンレス鋼板、銅板、アルミニウム合金板、亜鉛板等が用いられる。また、板状体は、ロール成形あるいはプレス成形することによって所望の断面形状に形成することができ、本体部分や上ハゼ、下ハゼは、その際、同時に形成される。
【００２２】
図における符号１は、板状体の本体部分である。本体部分１は、ここでは一対の短辺１ａ、１ｂと、これら短辺１ａ、１ｂを両側に挟む一対の長辺１ｃ、１ｄにて取り囲まれた扁平矩形状をなすものを例として示しており、この本体部分１が屋根の平坦部を形成する。本体部分１の幅寸法や長さ、平面形状は適宜変更可能であり、図示のものに限定されることはない。
【００２３】
また、２は、本体部分１の幅方向の一端（短辺１ａ）に設けられた上ハゼ、３は、本体部分１の幅方向のもう一端（短辺１ｂ）に設けられた下ハゼである。上ハゼ２、下ハゼ３は、いずれも、本体部分１の長手方向の全長にわたって連結する長さを有している。
【００２４】
上ハゼ２は、該本体部分１の外表面よりも外方へ向けて膨出するとともに該本体部分１の外表面に沿う外表面（本体部分１が平坦な面を有している場合には、外表面は平坦な面に設定される）を有する天板２ａと、該天板２ａの幅方向の一端に設けられ、該本体部分１の幅方向の端縁（短辺１ａ）につながる側板２ｂと、該天板２ａの幅方向のもう一端に片持ち支持され、該板状体に隣接配置される別の板状体１′の下ハゼ３′に連係可能な鉤状体２ｃとを備えた、細長い略箱型形状からなるものにて構成されており、この上ハゼ２が屋根の隆起部を形成する。
【００２５】
上ハゼ２の鉤状体２ｃは、ここでは、その要部を拡大して図２に示すように、上端部が天板２ａに一体連結する側板２ｃ１と、この側板２ｃ１の下端において水平姿勢で片持ち支持される水平板２ｃ２と、この水平板２ｃ２の自由端において立ち上がる起立片２ｃ３と、この起立片２ｃ３の先端部に外向きの屈曲状態で設けられ、第１の顎部３ｂの外側面に当接可能で、かつ、後述する挟持体（５、５′）の係止舌片（５ｂ、５ｂ′）との間で挟持される引っ掛け片２ｃ４からなるものを例として示したが、その形状は種々変更可能であり図示のものに限定されることはない。引っ掛け片２ｃ４は、それ自体の強度を高めるために折り返しによって２枚重ねにしたもので構成することができる。
【００２６】
また、下ハゼ３は、一端が該本体部分１につながる第１の脚部３ａと、該第１の脚部３ａの他端に第１の顎部３ｂを介してつながり、その内側に内部空間Ｍを区画形成する頭部３ｃと、一端が該頭部３ｃに第２の顎部３ｄを介してつながる第２の脚部３ｅと、該第２の脚部３ｅの他端につながり、固定ビスの如き締結手段にて該本体部分１を上ハゼ２とともに建築物の下地材Ｓに固定可能な舌片３ｆとを備えたものから構成されている。下ハゼ３の第１の脚部３ａと第２の脚部３ｅとは、頭部３ｃの内部空間Ｍにつながる導入口Ｎを形成するとともに頭部３ｃを第１の顎部３ｂ、第２の顎部３ｄとともに左右で均等に支えることができるように、ハの字状の配置間隔に保持されている（図２参照）。
【００２７】
また、４は、下ハゼ３の頭部３ｃの頂部に設けられた溝部である。この溝部４は、本体部分１の長手方向に沿って伸延するとともに溝底４ａの幅寸法がその開口端４ｂの幅寸法と略同等の矩形状（長方形状）断面を有している（図４参照）。この溝部４は、板状体に隣接配置される別の板状体の上ハゼ２′とが連係する連係部分（重ね合わせ部分）において毛細管現象により雨水等の吸い込みが起きた場合に該溝部４を通して排水することができる機能を有している。また、この溝部４は、下ハゼ３の、とくに頭部３ｃの剛性をも高めている。
【００２８】
５は、該第１の顎部３ｂ、該頭部３ｃおよび第２の顎部３ｄにおいて固定保持され、該板状体に隣接配置される別の板状体の上ハゼ２′の鉤状体２ｃ′を、該第１の顎部３ｂとの間で挟持する挟持体である。
【００２９】
挟持体５は、一枚の金属製部材、例えば、厚さ０．５ｍｍ程度のカラー鋼板等を屈曲成形することによって形成される弾性変形可能な部材が用いられる。具体的には、下ハゼ３の頭部３ｃの外表面に合わさる天井壁部５ａと、該天井壁部５ａの幅方向の端部に垂下保持され、該板状体に隣接配置される別の板状体の上ハゼ２′の鉤状体２ｃ′、とくに、引っ掛け片２ｃ４′を、該第１の顎部３ｂと協働して挟持する係止舌片５ｂと、第２の顎部３ｄの外表面に嵌合可能な係止片５ｃからなるものが適用される。挟持体５の長さＬは、板状体の長さと同じ長さに設定することができるが、図３に示すように、長さの短いものを複数用いてもよい。また、係止舌片５ｂについては、その先端部５ｂ１を折り返し２枚重ねにすることによりそれ自体の強度を高めることができる。
【００３０】
また、６は、挟持体５の天井壁部５ａの下部に設けられ、溝部４において適合可能な凸部、７は、挟持体５の天井壁部５ａの上部に設けられ、凸部６の、該溝部４への適合姿勢でもって該溝部４につながる通路を形成する凹部である。凸部６、凹部７は、挟持体５をコの字状に屈曲成形することによって形成される。
【００３１】
上記の挟持体５は、係止片５ｃを、第２の顎部３ｄに嵌合させることにより下ハゼ３の第１の顎部３ｂおよび第２の顎部３ｄにおいて係止されるロック方式からなるものである。挟持体５を、下ハゼ３の頭部３ｃの上部に位置せしめ、該挟持体５を弾性変形させながら下ハゼ３の頭部３ｃに押し込むだけの簡単な動作で強固に取り付けることができるようになっている。
【００３２】
挟持体５を下ハゼ３に固定保持するに際して、該挟持体５は、第１の顎部３ｂおよび第２の顎部３ｄで嵌合することになるが、挟持体５には溝部４につながる両端開放型の通路を形成する凹部７が形成されているため、溝部４において雨水等が流通してもその流れを阻害することがない。
【００３３】
また、８は、挟持体５に一体連結され、隣接配置される板状体の上ハゼ２′の天板２ａ′の直下に位置して該上ハゼ２′を支える支持体である。支持体８は、上ハゼ２′の天板２ａ′の裏面に位置する支持板８ａと、一端が支持板８ａの幅方向の縁部につながり、もう一端が挟持体５の第２の係止片５ｃにつながる脚部８ｂと、該支持板８ａの幅方向の他端につながり建築物の下地材Ｓに接地する脚部８ｃとから構成されるものが用いられる。
【００３４】
支持体８を、挟持体５と一体連結された構成とすることにより、挟持体５と支持体８を同時に成形することができるだけでなく、組み付け作業の簡素化を図ることができる。しかも支持体８と挟持体５とを一体連結することにより、部品点数を減らすことができる利点がある。なお、支持体８は、挟持体５と別体に構成してもよい。
【００３５】
支持体８の支持板８ａが上ハゼ２′の天板２ａ′の裏面に当接するように支持体８の高さを設定しておくことにより、上ハゼ２′は、支持体８によって支えられるため、上ハゼ２′に外部荷重が付加されたとしても天板２ａ′が変形するのを回避することができる。
【００３６】
下ハゼ３の高さ（挟持体５の厚さ分を含む）を、支持体８の支持板８ａの高さと同等の高さに設定しておくことにより、上ハゼ２′は、支持体８のみならず、下ハゼ３によって支えられ、上ハゼ２′の、外部荷重に対する抵抗力をより一層高めることができる。なお、本発明では、説明の都合上、基準となる板状体には符号１〜８を付して表示し、これに隣接配置される別の板状体には、同一符号に（′）を付して表示することにより両者を区別したが、板状体の構成はいずれも共通するものである。
【００３７】
本発明にしたがう建築物の囲繞構造体を適用して屋根を構築するには、屋根の構築領域（野地板等の下地材）に防水処理を施したのち（アスファルトルーフィング等の敷設）、屋根の一方の螻羽側の軒端を板状体の設置開始部位として、そこから梁間方向、桁行方向に向けてそれぞれ板状体を連係させていけばよい。
【００３８】
板状体を、桁行方向に連係させるには、上掲図１に示すように、板状体の下ハゼ３を、それに隣接配置される別の板状体の上ハゼ２′の内側に位置せしめるとともに、上ハゼ２′の鉤状体２ｃ′を第１の顎部３ｂと挟持体５との間で挟持する作業を、もう一方の螻羽側まで繰返し行えばよい。
【００３９】
板状体の、下地材Ｓへの固定は、舌片３ｆの複数個所に固定ビス等の締結手段を打ち込むことにより行う。
【００４０】
本発明の建築物の囲繞構造体を適用して構築された屋根は、図６に示すように、桁行方向に沿って隆起部（上ハゼ２、２′）と平坦部（本体部分１、１′）が交互に配列された美観に優れた大和葺き風の屋根となる。隆起部を形成する上ハゼ２の幅寸法、平坦部を形成する本体部分１の幅寸法の比率は、必要に応じて適宜変更することができるものであって、この点についてはとくに限定されない。
【００４１】
とくに、屋根の勾配により挟持体５が位置ずれを起すことが懸念される場合には、図７に示すように、溝部４の溝底４ａに固定ビスを打ち込んで下ハゼ３と挟持体５との一体化を図るのが望ましく、その際、固定ビスの打ち込み部分からの雨水等の浸入を防ぐためにシーリングなどの防水処理を施すことが肝要となる。
【００４２】
本発明にしたがう建築物の囲繞構造体で構成された屋根は、上ハゼ２（２′）の鉤状体２ｃ（２ｃ′）が挟持体５′（５）の係止舌片５ｂ′（５ｂ）に引っ掛かるだけでなく、該係止舌片５ｂ′（５ｂ）と下ハゼ３の第１の顎部３ｂ（３ｂ′）とによって挟持されるため、板状体の連係強度が高く、下ハゼ３（３′）については、固定ビス等の締結手段を介して下地材Ｓに固定されることから、板状体が上方へ向けて引き上げられるような負圧が作用しても板状体の連係が簡単に解除されることはない。
【００４３】
また、上ハゼ２（２′）の鉤状体２ｃ（２ｃ′）の下端面と板状体の外表面との間には、３〜８ｍｍ程度の隙間ｄを設けておくことが可能であり（図８参照）、しかも、下ハゼ３の第１の顎部３ｂが板状体の幅方向に沿い外方に向けて迫り出していることから、毛細管現象によって雨水等が上ハゼ２（２′）の内部に浸入し難く、高い止水性を維持することができる。
【００４４】
図８は、板状体に裏貼り材９を取り付けるとともに、導入口Ｎ（Ｎ′）を通して下ハゼ３、３′の頭部３ｃの内部空間Ｍ、Ｍ′にタイトフレーム１０の頭部を挿入し、該タイトフレーム１０と下ハゼ３を固定ビスにより一体連結し、該タイトフレーム１０を介して板状体を下地材Ｓに固定した、本発明にしたがう建築物の囲繞構造体の他の実施の形態を示した例である。
【００４５】
かかる構造のものは、板状体と、下地材Ｓとの間に空間Ｒを形成することができ、その空間Ｒに断熱材１１を敷設することにより、断熱仕様とすることを可能としている。タイトフレーム１０としては、厚さが０．８〜２．３ｍｍ程度の亜鉛鉄板等で構成されたものを用いることができる。
【００４６】
本発明にしたがう建築物の囲繞構造体を適用して横貼りタイプの外壁を構築するには、図９に示すように、上ハゼ２（２′）が下側（建築物の土台側）、下ハゼ３（３′）が軒天側に向くように板状体を保持し、その姿勢を維持したまま該板状体を下地材Ｓに固定して、図１０に示すように、土台側から軒天側に向けて板状体を順次連係させていけばよく、これにより、隆起部と平坦部が交互に配列された図１１に示すような大和葺き風の壁が構築されることになる。図１２に本発明の囲繞構造体を適用した建築物の全体の外観を示す。
【産業上の利用可能性】
【００４７】
本発明によれば、高い止水性を維持しながら、板状体の連係強度を、安定した支持姿勢のもとで高め得る建築物の囲繞構造体が提供できる。
【符号の説明】
【００４８】
１      本体部分
１ａ、１ｂ  短辺
１ｃ、１ｄ  長辺
２      上ハゼ
２ａ    天板
２ｂ    側板
２ｃ    鉤状体
３      下ハゼ
３ａ    第１の脚部
３ｂ    第１の顎部
３ｃ    頭部
３ｄ    第２の顎部
３ｅ    第２の脚部
３ｆ    舌片
４      溝部
４ａ    溝底
４ｂ    開口端
５      挟持体
５ａ    天井壁部
５ｂ    係止舌片
５ｃ    係止片
６      凸部
７      凹部
８      支持体
８ａ    支持板
８ｂ、８ｃ  脚部
９      裏貼り材
１０    タイトフレーム
１１    断熱材
Ｍ      内部空間
Ｎ      導入口
Ｒ      空間
【図１】
2019019527.tif 000003
【図２】
2019019527.tif 000004
【図３】
2019019527.tif 000005
【図４】
2019019527.tif 000006
【図５】
2019019527.tif 000007
【図６】
2019019527.tif 000008
【図７】
2019019527.tif 000009
【図８】
2019019527.tif 000010
【図９】
2019019527.tif 000011
【図１０】
2019019527.tif 000012
【図１１】
2019019527.tif 000013
【図１２】
2019019527.tif 000014